(57)【特許請求の範囲】
【請求項１】
前面に開口を有する断熱箱体と、
前記断熱箱体内を区画して形成された第１の貯蔵室と、
前記第１の貯蔵室の開口位置に開閉自在に設けられた回転式断熱扉と、
を備え、
前記回転式断熱扉は、
一方の側端部が前記断熱箱体に回転自在に設けられた回転式断熱扉の枠体と、
一端側及び他端側が前記回転式断熱扉の枠体の内側面に設けられ、当該一端側と当該他端側との間の部分が前記回転式断熱扉の枠体の内側面から離間している回転式扉剥離抑制部と、
前記回転式扉剥離抑制部と前記回転式断熱扉の枠体との離間部分の隙間を含めた前記回転式断熱扉の枠体内の空間に充填される回転式断熱扉の断熱材とを有し、
前記回転式断熱扉の枠体は、
箱状であり、
前記回転式断熱扉の枠体の前記一方の側端部に設けられている第１の回転式扉側面部と、
前記回転式断熱扉の枠体の他方の側端部に設けられている第２の回転式扉側面部とを有し、
前記回転式扉剥離抑制部は、
前記第１の回転式扉側面部の下部に設けられている第１の剥離抑制部と、
前記第２の回転式扉側面部の上部に設けられている第２の剥離抑制部とを有する
ことを特徴とする冷蔵庫。
【請求項２】
前記回転式断熱扉の枠体は、
回転式扉前面部と、
前記回転式扉前面部の対向位置に設けられ、前記回転式断熱扉が閉じている状態において前記第１の貯蔵室の開口を閉塞する回転式扉背面部とを有し、
前記第１の回転式扉側面部は、前記回転式扉前面部の一方の側端部及び前記回転式扉背面部の一方の側端部に取り付けられ、
前記第２の回転式扉側面部は、前記回転式扉前面部の他方の側端部及び前記回転式扉背面部の他方の側端部に取り付けられている
ことを特徴とする請求項１に記載の冷蔵庫。
【請求項３】
前記第１の回転式扉側面部及び前記第１の剥離抑制部は、一体形成されており、
前記第２の回転式扉側面部及び前記第２の剥離抑制部は、一体形成されており、
前記第１の回転式扉側面部は、
上下方向に延びるように形成され、前記第１の剥離抑制部が設けられた第１の板状部と、
前記回転式断熱扉が閉じている状態において、前端側が前記回転式扉前面部側に突出するように形成された上下方向に延びる第１縁部と、
前記回転式断熱扉が閉じている状態において、後端側が前記回転式扉背面部側に突出するように形成された上下方向に延びる第２縁部とを有し、
前記第１の剥離抑制部は、
前記第１の板状部との間の隙間の開口面が水平面に平行となるように前記第１の板状部に設けられ、
前記第２の回転式扉側面部は、
上下方向に延びるように形成され、前記第２の剥離抑制部が設けられた第２の板状部と、
前記回転式断熱扉が閉じている状態において、前端側が前記回転式扉前面部側に突出するように形成された上下方向に延びる第３縁部と、
前記回転式断熱扉が閉じている状態において、後端側が前記回転式扉背面部側に突出するように形成された上下方向に延びる第４縁部とを有し、
前記第２の剥離抑制部は、
前記第２の板状部との間の隙間の開口面が水平面に平行となるように前記第２の板状部に設けられている
ことを特徴とする請求項２に記載の冷蔵庫。
【請求項４】
前記断熱箱体内を区画して形成され、前記第１の貯蔵室とは異なる第２の貯蔵室と、
前記第２の貯蔵室の開口位置に開閉自在に設けられた引出式断熱扉とを備え、
前記引出式断熱扉は、
引出式断熱扉の枠体と、
一端側及び他端側が前記引出式断熱扉の枠体の内側面に設けられ、当該一端側と当該他端側との間の部分が前記引出式断熱扉の枠体の内側面から離間している引出式扉剥離抑制部と、
前記引出式扉剥離抑制部と前記引出式断熱扉の枠体との離間部分の隙間を含めた前記引出式断熱扉の枠体内の空間に充填される引出式断熱扉の断熱材とを有し、
前記引出式断熱扉の枠体は、
引出式扉前面部と、
前記引出式扉前面部の対向位置に設けられ、前記引出式断熱扉が閉じている状態において前記第２の貯蔵室の開口を閉塞する引出式扉背面部と、
前記引出式扉前面部の上端部及び前記引出式扉背面部の上端部に取り付けられた引出式扉上面部とを有し、
前記引出式扉剥離抑制部は、
前記引出式扉上面部に設けられている第３の剥離抑制部を有する
ことを特徴とする請求項１〜３のいずれか一項に記載の冷蔵庫。
【請求項５】
前記引出式断熱扉の枠体は、
前記引出式扉前面部の側端部及び前記引出式扉背面部の側端部に取り付けられた引出式扉側面部を有し、
前記引出式扉剥離抑制部は、
前記引出式扉側面部に設けられている第４の剥離抑制部を有する
ことを特徴とする請求項４に記載の冷蔵庫。
【請求項６】
一端側が前記引出式扉背面部に設けられ、当該一端側から他端側に向かうにしたがって前記第２の貯蔵室の奥側に延びる一対の側方フレームをさらに備え、
前記引出式扉剥離抑制部は、
前記側方フレームが設けられている位置及び前記引出式扉背面部が設けられている位置よりも上側に設けられている
ことを特徴とする請求項５に記載の冷蔵庫。
【請求項７】
前記回転式扉前面部は、
ガラス板で構成され、前記回転式扉背面部とは別体である
ことを特徴とする請求項２又は３に記載の冷蔵庫。
【請求項８】
前記引出式扉前面部は、
ガラス板で構成され、前記引出式扉背面部とは別体である
ことを特徴とする請求項４〜６のいずれか一項に記載の冷蔵庫。
【請求項９】
前記回転式断熱扉の断熱材及び前記引出式断熱扉の断熱材は、発泡断熱材である
ことを特徴とする請求項４〜６、８のいずれか一項に記載の冷蔵庫。
【発明の詳細な説明】
【技術分野】
【０００１】
本発明は、冷蔵庫に関するものである。
【背景技術】
【０００２】
冷蔵庫は、たとえば、貯蔵品などを収容する貯蔵室を有する本体と、本体に開閉自在に設けられた扉とを有している。そして、冷蔵庫の扉は、枠体が、貯蔵室側に位置する枠体である内フレームと、内フレームに取り付けられる縁枠と、縁枠に取り付けられるガラス板とを有しているものが提案されている（たとえば、特許文献１）。なお、ガラス板は、冷蔵庫の前面意匠面の一部を構成している。
【０００３】
特許文献１に記載の冷蔵庫は、上述の枠体に発泡断熱材（発泡ウレタンなど）が充填されており貯蔵室と冷蔵庫外との断熱が図られている。この発泡断熱材は、枠体の内側面に密着している。また、冷蔵庫の扉には、貯蔵室を開放、閉塞するときに握持され、ユーザーが手指を引っ掛けることができる取手などが設けられている。
【先行技術文献】
【特許文献】
【０００４】
【特許文献１】特開２０１４−７０８５３号公報
【発明の概要】
【発明が解決しようとする課題】
【０００５】
冷蔵庫の扉は、ユーザーが取手を握持して扉を開閉すると、その開閉時に枠体に加わる力により、枠体が変形する。この変形は非常に小さいものであるが、扉の開閉は繰り返しなされるため、徐々に枠体内部の発泡断熱材と枠体とが剥離してしまうことがある。すなわち、扉の開閉が繰り返しなされて枠体が経年劣化し、徐々に枠体の変形量が大きくなって、枠体の内側面に密着していた発泡断熱材が剥がれてしまうことがある。発泡断熱材が枠体の内側面から剥がれると、その剥がれた部分に隙間が形成されてしまい、冷蔵庫の断熱性能が低下してしまう可能性がある。
【０００６】
本発明は、上述のような課題を解決するためになされたものであり、扉の開閉などに起因する扉の経年劣化により、冷蔵庫の断熱性能が低下することを抑制することができる冷蔵庫を提供することを目的としている。
【課題を解決するための手段】
【０００７】
本発明に係る冷蔵庫は、前面に開口を有する断熱箱体と、断熱箱体内を区画して形成された第１の貯蔵室と、第１の貯蔵室の開口位置に開閉自在に設けられた回転式断熱扉と、を備え、回転式断熱扉は、一方の側端部が断熱箱体に回転自在に設けられた回転式断熱扉の枠体と、一端側及び他端側が回転式断熱扉の枠体の内側面に設けられ、一端側と他端側との間の部分が回転式断熱扉の枠体の内側面から離間している回転式扉剥離抑制部と、回転式扉剥離抑制部と回転式断熱扉の枠体との離間部分の隙間を含めた回転式断熱扉の枠体内の空間に充填される回転式断熱扉の断熱材とを有し、回転式断熱扉の枠体は、箱状であり、回転式断熱扉の枠体の一方の側端部に設けられている第１の回転式扉側面部と、回転式断熱扉の枠体の他方の側端部に設けられている第２の回転式扉側面部とを有し、回転式扉剥離抑制部は、第１の回転式扉側面部の下部に設けられている第１の剥離抑制部と、第２の回転式扉側面部の上部に設けられている第２の剥離抑制部とを有するものである。
【発明の効果】
【０００８】
本発明によれば、上記構成を有しているので、扉の開閉などに起因する扉の経年劣化により、冷蔵庫の断熱性能が低下することを抑制することができる。
【図面の簡単な説明】
【０００９】
【図１】本発明の実施の形態１に係る冷蔵庫の正面図である。
【図２Ａ】本発明の実施の形態１に係る冷蔵庫１の断熱扉８Ａの斜視図である。
【図２Ｂ】図２Ａに示す断熱扉８Ａのうち、断熱扉８Ａの開閉により発泡断熱材の剥離が発生しやすい箇所を説明する図である。
【図３】本発明の実施の形態１に係る冷蔵庫１の断熱扉８Ａの正面図である。
【図４】断熱扉８Ａを側方側から見た図である。
【図５】図２及び図３に示す点線Ｘ−Ｘにおける断面図である。
【図６】図２及び図４に示す点線Ｚ−Ｚにおける断面図である。
【図７Ａ】本発明の実施の形態１に係る冷蔵庫１の断熱扉８Ａの有する側面キャップ１３の斜視図である。
【図７Ｂ】側面キャップ１３を形成する際に用いられる金型などについての説明図である。
【図８Ａ】本発明の実施の形態１に係る冷蔵庫の剥離抑制部１８の変形例１である。
【図８Ｂ】本発明の実施の形態１に係る冷蔵庫の剥離抑制部１８の変形例２である。
【図８Ｃ】本発明の実施の形態１に係る冷蔵庫の剥離抑制部１８の変形例３である。
【図８Ｄ】本発明の実施の形態１に係る冷蔵庫の剥離抑制部１８の変形例４である。
【図９】本発明の実施の形態２に係る引出式の断熱扉２９Ａ及び断熱扉２９Ａに接続された一対の側方フレーム１９などの斜視図である。
【図１０】図９に示す断熱扉２９Ａ及び側方フレーム１９を、これらの側方側から見た図である。
【図１１Ａ】断熱扉２９Ａの正面図である。
【図１１Ｂ】断熱扉２９Ａのうち、断熱扉２９Ａの開閉により発泡断熱材の剥離が発生しやすい箇所を説明する図である。
【図１２Ａ】図１０に示す断熱扉２９Ａの点線Ｚ−Ｚにおける断面図である。
【図１２Ｂ】本実施の形態２に係る冷蔵庫１の変形例である。
【発明を実施するための形態】
【００１０】
以下、本発明に係る冷蔵庫の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、本実施の形態１に係る冷蔵庫１の正面図である。なお、図１の冷蔵庫１は、実施の形態２にも適用するものとする。図１に示す冷蔵庫１は、断熱箱体２内に、たとえば上段から、冷蔵室３と、断熱箱体２の左右方向に併設された製氷室４及び切換室５と、冷凍室６と、野菜室７とを貯蔵室として備えている。
【００１２】
断熱箱体２は、冷蔵室３の形成位置に観音開き式の断熱扉８Ａ及び断熱扉８Ｂが開閉自在に設けられている。すなわち、断熱扉８Ａは、図１に示すように、紙面左側の端部が断熱箱体２に回転自在に取り付けられている。また、断熱扉８Ｂは、紙面右側の端部が断熱箱体２に回転自在に取り付けられている。さらに、断熱扉８Ａ及び断熱扉８Ｂの長手方向は、上下方向に対応している。
【００１３】
断熱箱体２には、製氷室４の形成位置に引出式の断熱扉９Ａが前後に開閉自在に設けられている。断熱箱体２には、切換室５の形成位置に引出式の断熱扉９Ｂが前後に開閉自在に設けられている。断熱扉９Ａと断熱扉９Ｂとは、左右に隣接するように配置されている。また、断熱扉９Ａ及び断熱扉９Ｂの上側には、断熱扉８Ａ及び断熱扉８Ｂが配置され、断熱扉９Ａ及び断熱扉９Ｂの下側には後述する断熱扉２９Ａが配置されている。
【００１４】
断熱箱体２には、冷凍室６の形成位置に引出式の断熱扉２９Ａが前後に移動自在に設けられている。また、断熱箱体２には、野菜室７の形成位置に引出式の断熱扉２９Ｂが移動自在に設けられている。断熱扉２９Ａ及び断熱扉２９Ｂは、上下に隣接するように配置されている。断熱扉２９Ａ及び断熱扉２９Ｂの長手方向は、左右方向（水平方向）に対応している。
【００１５】
冷蔵室３は、収容物が凍らない程度の温度を維持する貯蔵室であり、製氷室４は、室内に製氷機が設けられ、その製氷機によって製造された氷を保存する貯蔵室である。切換室５は、用途に応じて温度帯を切り換えることができる貯蔵室であり、冷凍室６は、冷凍温度帯に設定される貯蔵室である。野菜室７は、主に野菜の貯蔵を目的とした貯蔵室である。なお、図１では、冷凍室６の下に野菜室７を設けているが、製氷室４及び切換室５の下に野菜室７とし、その野菜室７の下に冷凍室６としても良い。
【００１６】
断熱箱体２は、前面に開口を有する外箱と、仕切壁で貯蔵室が区画され、外箱の開口から外箱内に嵌め込まれた内箱と、外箱と内箱との空間に充填される発泡ウレタンなどの発泡断熱材とで構成されている。
【００１７】
図２Ａは、本実施の形態１に係る冷蔵庫１の断熱扉８Ａの斜視図である。回転式の扉である断熱扉８Ａには、左右方向における一方の端部であって上端部に上側固定部１６が設けられ、左右方向における一方の端部であって下端部に下側固定部１７が設けられている。上側固定部１６及び下側固定部１７は、断熱箱体２（図１参照）に断熱扉８Ａが回転自在となるように固定されている。
【００１８】
断熱扉８Ａは、意匠面となるガラス板１０と、ガラス板１０に対向する位置に設けられる内板１４（図４及び図５参照）と、ガラス板１０及び内板１４の上端部に設けられる上面キャップ１１と、ガラス板１０及び内板１４の下端部に設けられる下面キャップ１２と、ガラス板１０及び内板１４の側面部にそれぞれ取り付けられる一対の側面キャップ１３とを有している。
【００１９】
断熱扉８Ａは、ガラス板１０、内板１４、上面キャップ１１、下面キャップ１２、一対の側面キャップ１３によって閉じた空間が形成されている。この閉じた空間に発泡断熱材１５（図５参照）が充填されている。発泡断熱材１５は、たとえばウレタンなどを採用することができる。発泡断熱材１５は、この閉じた空間内に充填されるとガラス板１０、内板１４、上面キャップ１１、下面キャップ１２、一対の側面キャップ１３に密着する。このように、断熱扉８Ａは、ガラス板１０、内板１４、上面キャップ１１、下面キャップ１２、一対の側面キャップ１３と、発泡断熱材１５を有している。
【００２０】
なお、一対の側面キャップ１３のうち、断熱扉８Ａにおける左右方向における一方に設けられるものが側面キャップ１３ａであり、他方に設けられるものが側面キャップ１３ｂである。すなわち、側面キャップ１３ａが上側固定部１６及び下側固定部１７が設けられている側のものであり、側面キャップ１３ｂが断熱扉８Ａを開放するときにユーザーが握持する側のものである。
【００２１】
断熱扉８Ａの枠体は、ガラス板１０、内板１４、上面キャップ１１、下面キャップ１２、一対の側面キャップ１３に対応する構成である。また、ガラス板１０は、回転式扉前面部に対応し、内板１４は、回転式扉背面部に対応し、側面キャップ１３は、回転式扉側面部に対応している。
【００２２】
図２Ｂは、図２Ａに示す断熱扉８Ａのうち、断熱扉８Ａの開閉により発泡断熱材１５の剥離が発生しやすい箇所を説明する図である。ユーザーの身長などによってばらつきはあるものの、多くの場合において、ユーザーは、断熱扉８Ａを開く際に断熱扉８Ａの下部Ｑ１あたりを握持する。この下部Ｑ１を握持して断熱扉８Ａの開閉を重ねると、経年劣化により、図２Ｂの領域Ｔ１に対応する箇所に変形が生じやすくなる。この領域Ｔ１は、断熱扉８Ａの対角線上の領域、すなわち断熱扉８Ａの一方側の下部Ｑ２側から断熱扉８Ａの他方側の上部Ｑ３にかけて延びる領域である。
なお、ここでは、断熱扉８Ａに取手が設けられていない態様についてを例に説明したが、それに限定されるものではなく、たとえば、下部Ｑ１に対応する位置に取手を設ける態様であってもよい。また、断熱扉８Ａに取手を設けず、ボタンなどで開閉をする態様であってもよい。これらの態様であっても、下部Ｑ１に対応する箇所を握持して断熱扉８Ａの開閉を実施することになるので、変形が生じやすい領域については概ね同様である。
【００２３】
図３は、本実施の形態１に係る冷蔵庫１の断熱扉８Ａの正面図である。図４は、断熱扉８Ａを側方側から見た図である。図５は、図２及び図３に示す点線Ｘ−Ｘにおける断面図である。図６は、図２及び図４に示す点線Ｚ−Ｚにおける断面図である。
断熱扉８Ａには、図４に示すように、内板１４に取り付けられ、冷蔵室３の冷気が漏れることを防止するマグネットガスケット２２が設けられている。
【００２４】
ガラス板１０は、長手方向が上下方向である矩形状の板材である。ガラス板１０及び内板１４は、一方端に側面キャップ１３ａが嵌められ、他方端に側面キャップ１３ｂが嵌められている。また、ガラス板１０及び内板１４の上端には上面キャップ１１が嵌められ、下端には下面キャップ１２が嵌められている。なお、本実施の形態１では、断熱扉８Ａにガラス板１０が設けられた態様について一例を説明するが、ガラスに限定されるものではなく、樹脂などで構成してもよい。
【００２５】
内板１４は、ガラス板１０よりも冷蔵室３（貯蔵室）側におけるガラス板１０の対向位置に設けられ、断熱扉８Ａが閉じている状態において冷蔵室３（貯蔵室）の開口を閉塞するものである。内板１４は、樹脂で構成されているものである。
【００２６】
一対の側面キャップ１３は、ガラス板１０の側端部、ガラス板１０の側端部に対向する方の内板１４の側端部に取り付けられ、剥離抑制部１８が設けられている。剥離抑制部１８は、側面キャップ１３ｂの上部及び下部のうちの少なくとも一方に設けられているものである。本実施の形態１では、側面キャップ１３ｂの上部及び下部の両方に設けられている態様について説明する。上側の剥離抑制部１８は、側面キャップ１３ｂの上端面からたとえば５０ｍｍ程度の位置に設けられている。また、下側の剥離抑制部１８は、側面キャップ１３ｂの下端面からたとえば５０ｍｍ程度の位置に設けられている。一対の側面キャップ１３は、樹脂で構成されているものである。
【００２７】
側面キャップ１３ｂは、上下方向に延びるように形成され、剥離抑制部１８が設けられた板状部１３Ａと、断熱扉８Ａが閉じている状態において、前端側がガラス板１０側に突出するように形成された上下方向に延びる第１縁部１３Ｂ１と、断熱扉８Ａが閉じている状態において、後端側が内板１４側に突出するように形成された上下方向に延びる第２縁部１３Ｂ２とを有しているものである。
なお、側面キャップ１３ａについても、側面キャップ１３ｂに準じた構成を有している。すなわち、側面キャップ１３ａも、板状部、第１縁部１３Ｂ１及び第２縁部１３Ｂ２を有している。
【００２８】
剥離抑制部１８は、一端側及び他端側が枠体の一部を構成する側面キャップ１３ｂの板状部１３Ａの内側面に接続され、この一端側及び他端側の間の中間部が板状部１３Ａの内側面から離間しているものである。より詳細には、剥離抑制部１８は、側面キャップ１３ｂの板状部１３Ａに接続され、断熱扉８Ａの枠体内の閉じた空間側に突出する第１突出部１８１及び第２突出部１８３と、一端側が第１突出部１８１に接続され、他端側が第２突出部１８３に接続された接続部１８２とを有しているものである。
【００２９】
剥離抑制部１８は、第１突出部１８１及び第２突出部１８３が水平方向に平行に延びるように形成され、接続部１８２が第１突出部１８１及び第２突出部１８３に直交するように接続されている。すなわち、剥離抑制部１８は、水平断面視形状がコの字状に形成されているものである。したがって、剥離抑制部１８は、接続部１８２が板状部１３Ａから予め設定された間隔だけ離間している。このため、剥離抑制部１８と板状部１３Ａとの間には、隙間Ｓが形成されている。発泡断熱材１５は、剥離抑制部１８と板状部１３Ａの隙間Ｓを含めた枠体内の空間に充填される。
【００３０】
ここで、隙間Ｓの開口面の大きさは、たとえば、４〜５ｍｍ×４〜５ｍｍ程度の大きさと同等、又はそれよりも大きいとよい。すなわち、第１突出部１８１と第２突出部１８３との対向間隔が４〜５ｍｍより大きく、板状部１３Ａと接続部１８２との対向間隔が４〜５ｍｍより大きいとよい。これよりも小さくすると、隙間Ｓに発泡断熱材１５が流れ込みにくくなる、或いは流れなくなってしまう場合がある。発泡断熱材１５が隙間Ｓに流れ込まないと、発泡断熱材１５と剥離抑制部１８とが引っ掛かるように作用しにくくなる。このため、後述するような剥離を抑制する効果が小さくなってしまうので、隙間Ｓの開口面の大きさは、上記のように設定されている。
【００３１】
上面キャップ１１、下面キャップ１２、一対の側面キャップ１３、内板１４及び剥離抑制部１８は、樹脂で構成されている。
【００３２】
図７Ａは、本実施の形態１に係る冷蔵庫１の断熱扉８Ａの有する側面キャップ１３の斜視図である。図７Ｂは、側面キャップ１３を形成する際に用いられる金型などについての説明図である。側面キャップ１３は、側面部に対応する構成である。
【００３３】
側面キャップ１３ｂは、板状部１３Ａ、第１縁部１３Ｂ１及び第２縁部１３Ｂ２が一体的に形成されているものである。また、第１突出部１８１、第２突出部１８３及び接続部１８２は一体形成されている。そして、側面キャップ１３ｂ及び剥離抑制部１８は、一体形成されているものである。ここで、側面キャップ１３ｂ及び剥離抑制部１８を一体形成しやすい構造について説明する。
【００３４】
剥離抑制部１８は、板状部１３Ａとの間の隙間Ｓの開口面が水平方向に平行となるように板状部１３Ａに設けられている。言い換えると、この開口面は、上下方向に直交する。
側面キャップ１３ｂ及び剥離抑制部１８を一体的に製造する際には、隙間Ｓに対応する箇所に金型のスライドコアＰを配置し、隙間Ｓの部分に樹脂が流れないようにする。この状態で、樹脂を金型内に射出する。
【００３５】
ここで、側面キャップ１３ｂには、第１縁部１３Ｂ１及び第２縁部１３Ｂ２を有している。このため、樹脂を金型内に射出した後に、上述したスライドコアＰが第１縁部１３Ｂ１或いは第２縁部１３Ｂ２側に逃げることができない。そこで、剥離抑制部１８が板状部１３Ａとの間の隙間Ｓの開口面が水平面に平行となるようにすることで、スライドコアＰが板状部１３Ａの長手方向に平行に移動して逃げることができる。
【００３６】
［本実施の形態１に係る冷蔵庫１の有する効果］
本実施の形態１に係る冷蔵庫１は、断熱扉８Ａの側面キャップ１３ｂに剥離抑制部１８が設けられている。そして、この剥離抑制部１８内にも発泡断熱材１５が充填されているため、断熱扉８Ａを開閉したときに断熱扉８Ａの枠体が変形することを抑制することができる。すなわち、断熱扉８Ａを開閉して断熱扉８Ａの枠体が変形し、この枠体が発泡断熱材１５から剥離するように作用しても、剥離抑制部１８が発泡断熱材１５に対して引っ掛かるように作用しているので、この枠体と発泡断熱材１５との剥離を抑制することができる。これにより、本実施の形態１に係る冷蔵庫１は、断熱扉８Ａの開閉による経年劣化により、断熱性能が低下してしまうことを抑制することができる。
【００３７】
本実施の形態１に係る冷蔵庫１は、剥離抑制部１８を有しているので、経年劣化による冷気漏れ、露付きなどを防ぎ、断熱扉８Ａの開閉寿命の向上に繋がる効果を有する。
【００３８】
本実施の形態１に係る冷蔵庫１は、断熱扉８Ａの枠体と発泡断熱材１５との剥離を抑制することができるので、その分、断熱扉８Ａの強度が向上したものとなっている。
【００３９】
本実施の形態１に係る冷蔵庫１の剥離抑制部１８は、第１突出部１８１、第２突出部１８３及び接続部１８２を有し、側面キャップ１３の板状部１３Ａとの間に発泡断熱材１５が充填される隙間Ｓが形成された形成を有するものである。このように、断熱扉８Ａの枠体に上下左右のいずれの方向に負荷が加わって変形しても、剥離抑制部１８は板状部１３Ａとともに筒状構造を形成しているため、どの方向の変形にも剥離を効果的に抑制できるようになっている。
【００４０】
本実施の形態１に係る冷蔵庫１は、断熱扉８Ａの前面部がガラス板１０であり、断熱扉８Ａの背面部が内板１４であり、それぞれ別体である。このように、断熱扉８Ａの前面部及び背面部が別体であると、その分、断熱扉８Ａを開閉したときにおける変形も発生しやすい。しかし、このような態様の冷蔵庫１であっても、剥離抑制部１８が設けられているため、断熱扉８Ａの枠体と発泡断熱材１５との剥離を抑制することができる。なお、断熱扉８Ａの前面部及び背面部が一体の冷蔵庫に剥離抑制部１８を設けてもよい。
【００４１】
本実施の形態１に係る冷蔵庫１では、側面キャップ１３ｂの上部及び下部の両方に１つずつ剥離抑制部１８を設けた態様について説明した。ここで、図２Ｂの説明で述べたように、領域Ｔ１が断熱扉８Ａの変形が生じやすい箇所である。そこで、側面キャップ１３のうちの領域Ｔ１上にくる部分に剥離抑制部１８を設けると、効果的に断熱扉８Ａの枠体と発泡断熱材１５との剥離を抑制することができる。すなわち、側面キャップ１３ａの下部Ｑ２に剥離抑制部１８を設けるとともに、側面キャップ１３ｂの上部Ｑ３に剥離抑制部１８を設けるとよい。
【００４２】
本実施の形態１では、側面キャップ１３ｂ及び剥離抑制部１８を一体形成するものとして説明したが、それに限定されるものではなく、別体でもよい。また、剥離抑制部１８は、隙間Ｓの開口面が第１縁部１３Ｂ１及び第２縁部１３Ｂ２に向くように形成してもよい。これによっても、本実施の形態１に係る冷蔵庫と同様の効果を得ることができる。
【００４３】
剥離抑制部１８は、その内表面及び外表面が、発泡断熱材１５との接触面積が大きくなるように形成されていてもよい。たとえば、剥離抑制部１８の内表面及び外表面には、複数の凹凸を形成してもよい。剥離抑制部１８の表面に凹凸を形成することにより、剥離抑制部１８と発泡断熱材１５との接触表面積が増大し、剥離抑制部１８と発泡断熱材１５との密着性を向上させることができる。これにより、枠体と発泡断熱材１５との剥離を抑制する効果の向上を図ることができる。
なお、剥離抑制部１８の表面の全体ではなく、一部の表面に凹凸を形成するようにしてもよい。たとえば、外表面に凹凸を形成し、隙間Ｓ側の面である内側面には凹凸を形成しないようにしても同様の効果を得ることができる。また、第１突出部１８１及び第２突出部１８３には凹凸を形成し、接続部１８２には凹凸を形成しないようにしてもよい。これによっても、枠体と発泡断熱材１５との剥離を抑制する効果の向上を図ることができる。
【００４４】
本実施の形態１では、断熱扉８Ａの前面部がガラス板１０である場合について説明した。このように、意匠性などを考慮して断熱扉８Ａをガラス板１０とすると、内板１４は樹脂などで構成されるため、断熱扉８Ａの前面部及び背面部を一体的に構成することができなくなる。前面部と背面部とが別体となると経年劣化により断熱扉８Ａの枠体が変形しやすくなるので、断熱扉８Ａの開閉による断熱扉８Ａの枠体と発泡断熱材１５との剥離が生じやすくなる。
ここで、回転式であって長手方向が上下方向の断熱扉８Ａでは、図２Ｂの領域Ｔ１で示した箇所の変形が発生しやすい。すると、上述のように、前面部と背面部とを別体で構成する態様の断熱扉８Ａでは、領域Ｔ１の箇所の経年劣化による変形がより大きくなる。
しかし、本実施の形態１に係る冷蔵庫１では、断熱扉８Ａの前面部をガラス板１０で構成し、前面部と背面部とを別体とした態様であるが、剥離抑制部１８が設けられているので、断熱扉８Ａの枠体と発泡断熱材１５との剥離を抑制することができる。
【００４５】
なお、本実施の形態１に係る冷蔵庫１で説明した剥離抑制部１８を、断熱扉８Ｂに設けてもよいことは言うまでもない。
【００４６】
［変形例］
図８Ａ、図８Ｂ、図８Ｃ及び図８Ｄは、本実施の形態１に係る冷蔵庫の剥離抑制部１８の変形例１〜４（剥離抑制部１８Ａ〜１８Ｄ）である。なお、図８Ａ〜図８Ｄは、剥離抑制部１８Ａ〜１８Ｄの水平断面視図である。図８Ａに示すように、剥離抑制部１８Ａの接続部１８２Ａは、隙間Ｓが広がるように曲げられた形状を有している。より詳細には、剥離抑制部１８Ａは、一端側が板状部１３Ａに接続された第１突出部１８１及び第２突出部１８３と、一端側が第１突出部１８１の他端側に接続され、他端側が第２突出部１８３の他端側に接続された接続部１８２Ａとを有している。そして、接続部１８２Ａは、水平断面視したときにおいて、隙間Ｓの広がるように板状部１３Ａ側とは反対側に突出するように形成されている。
【００４７】
また、図８Ｂに示すように、剥離抑制部１８Ｂの接続部１８２Ｂは、隙間Ｓが狭くなるように曲げられた形状を有している。より詳細には、剥離抑制部１８Ｂは、一端側が板状部１３Ａに接続された第１突出部１８１及び第２突出部１８３と、一端側が第１突出部１８１の他端側に接続され、他端側が第２突出部１８３の他端側に接続された接続部１８２Ｂとを有している。そして、接続部１８２Ｂは、水平断面視したときにおいて、隙間Ｓが狭くなるように板状部１３Ａ側とは反対側に突出するように形成されている。
【００４８】
また、図８Ｃに示すように剥離抑制部１８が水平断面視形状が三角形状であってもよい。剥離抑制部１８Ｃは、接続部１８２に対応する構成が形成されていない。剥離抑制部１８Ｃは、第１突出部１８１及び一端側が板状部１３Ａに接続され、他端側が第１突出部１８１の他端側に接続された第２突出部１８３Ｃを有している。なお、第１突出部１８１については、板状部１３Ａに直交しているが、第２突出部１８３については板状部１３Ａに対して鋭角φが形成されている。
【００４９】
図８Ｄに示すように円弧状であってもよい。剥離抑制部１８Ｄは、一端側及び他端側が板状部１３Ａに接続された円弧状部１８４Ｄを有しているものである。本変形例４では、円弧状部１８４Ｄの水平断面視形状が半円状である場合を一例に示している。なお、水平断面視したときにおいて、中心角が１８０度である半円状に限定されるものではなく、１８０度より小さくてもよいし、１８０度より大きくてもよい。
【００５０】
これらの変形例１〜４であっても、本実施の形態１に係る冷蔵庫１と同様の効果を得ることができる。
【００５１】
実施の形態２．
図９は、本実施の形態２に係る引出式の断熱扉２９Ａ及び断熱扉２９Ａに接続された一対の側方フレーム１９などの斜視図である。図１０は、図９に示す断熱扉２９Ａ及び側方フレーム１９を、これらの側方側から見た図である。本実施の形態２は、実施の形態１と共通する部分については同一符号を付して説明するものとし、相違点について中心に説明する。実施の形態１では、回転式の断熱扉８Ａに剥離抑制部１８を設けた態様について説明したが、本実施の形態２では、引出式の断熱扉２９Ａに剥離抑制部１８を設けている。
【００５２】
断熱扉２９Ａも、断熱扉８Ａに準じた構成を有している。すなわち、断熱扉２９Ａの枠体は、前面部としてのガラス板１０、上面部としての上面キャップ１１、下面部としての下面キャップ１２及び側面部としての一対の側面キャップ１３を有している。また、断熱扉２９Ａの内板１４には、マグネットガスケット２２が設けられている。さらに、断熱扉２９Ａの枠体内には、発泡断熱材１５が充填されている（図１２Ａ参照）。
【００５３】
断熱扉２９Ａのガラス板１０は引出式扉前面部に対応し、断熱扉２９Ａの内板１４は引出式扉背面部に対応し、上面キャップ１１は引出式扉上面部に対応し、断熱扉２９Ａの側面キャップ１３は引出式扉側面部に対応している。
【００５４】
断熱扉２９Ａの長手方向は、上下方向ではなく、水平方向である。なお、断熱扉２９Ａは、長手方向が上下方向となるように構成されていてもよい。また、断熱扉２９Ａの前面上部には、ユーザーが手指を引っ掛けて断熱扉２９Ａを前後に移動させる際に利用される取手１１Ａが設けられている。
【００５５】
断熱扉２９Ａの内板１４には、一対の側方フレーム１９が取り付けられている。側方フレーム１９は、冷凍室６における手前側の端部が内板１４にたとえばねじなどで固定される。また、側方フレーム１９は、一端側（手前側）から他端側（奥側）に向かうにしたがって冷凍室６の奥側に延びるような形状を有している。さらに、側方フレーム１９は、冷凍室６における奥側の端部にローラー２１が設けられている。そして、たとえば冷凍室６の左右の内壁（図示省略）には、このローラー２１が前後に移動自在になるようにレールが設けられている。このように、冷蔵庫１は、側方フレーム１９にローラー２１が設けられ、冷凍室６の内壁にレールが設けられており、断熱扉２９Ａが前後に移動自在となっている。また、側方フレーム１９の奥側の端部には、一対の側方フレーム１９の撓みの防止などのために設けられた後方フレーム２０が設けられている。
【００５６】
図１１Ａは、断熱扉２９Ａの正面図である。図１１Ｂは、断熱扉２９Ａのうち、断熱扉２９Ａの開閉により発泡断熱材の剥離が発生しやすい箇所を説明する図である。ユーザーは、断熱扉２９Ａを開く際に断熱扉２９Ａの取手１１Ａを握持する。ここで、断熱扉２９Ａの内板１４には、高さ幅の中間部あたりに側方フレーム１９が接続されている。断熱扉２９Ａをユーザーが取手１１Ａを握持して手前側に引いたり奥側に押したりすると、断熱扉２９Ａには、側方フレーム１９を軸とし、側方フレーム１９よりも上側に力（モーメント）がかかる。このため、断熱扉２９Ａの開閉を重ねると、経年劣化により、図１１Ｂの領域Ｔ２に対応する箇所に変形が生じやすくなる。
【００５７】
図１２Ａは、図１０に示す断熱扉２９Ａの点線Ｚ−Ｚにおける断面図である。そこで、本実施の形態２に係る冷蔵庫１では、剥離抑制部１８が断熱扉２９Ａの上面キャップ１１に設けられている。上面キャップ１１は、ガラス板１０の上端部、及びガラス板１０の上端部に対向する方の内板１４の上端部に取り付けられ、剥離抑制部１８が２つ設けられているものである。図示は省略しているが、上面キャップ１１も、実施の形態１で説明した側面キャップ１３ｂに準じた構成を有している。
【００５８】
すなわち、上面キャップ１１は、剥離抑制部１８が設けられた板状部と、断熱扉２９Ａが閉じている状態において、前端側がガラス板１０側に突出するように形成された左右方向に延びる第１縁部と、断熱扉２９Ａが閉じている状態において、後端側が内板１４側に突出するように形成された左右方向に延びる第２縁部とを有している。そして、剥離抑制部１８は、断熱扉２９Ａの上面キャップ１１の板状部との間の隙間Ｓの開口面が鉛直方向に平行となるように板状部に設けられている。
【００５９】
図１２Ａに示すように、上面キャップ１１の板状部は、たとえば、左右の幅方向における中央側に寄るように剥離抑制部１８が２つ設けられている。剥離抑制部１８の設ける位置及び数については、これに限定されるものではない。たとえば、剥離抑制部１８は、上面キャップ１１の板状部の左右の幅方向における中央部に配置されていてもよいし、左右の端側に配置されていてもよい。また、上面キャップ１１には、１つしか剥離抑制部１８が設けられていなくてもよいし、３つ以上設けられていてもよい。
【００６０】
［本実施の形態２に係る冷蔵庫１の有する効果］
本実施の形態２に係る冷蔵庫１は、実施の形態１に係る冷蔵庫１と同様の効果を有する。
【００６１】
なお、本実施の形態２に係る冷蔵庫１で説明した剥離抑制部１８を、断熱扉２９Ｂに設けてもよいことは言うまでもない。
【００６２】
［変形例］
図１２Ｂは、本実施の形態２に係る冷蔵庫１の変形例である。図１２Ｂに示すように、上面キャップ１１ではなく、一対の側面キャップ１３に剥離抑制部１８が配置されていてもよい。これによっても、本実施の形態２に係る冷蔵庫１と同様の効果を得ることができる。ここで、本変形例では、剥離抑制部１８が、側方フレーム１９と内板１４との接続位置よりも上側に設けられている。図１１Ｂで説明したように、領域Ｔ２にて断熱扉２９Ａが変形しやすいので、領域Ｔ２に対応する位置に剥離抑制部１８を配置することで、より確実に発泡断熱材１５が枠体から剥離してしまうことを抑制することができる。
【００６３】
なお、本実施の形態２で説明したように、上面キャップ１１に剥離抑制部１８を設けるとともに、本変形例で説明したように側面キャップ１３に剥離抑制部１８を設けてもよい。この態様により、さらに、発泡断熱材１５が枠体から剥離してしまうことを抑制することができる。
【符号の説明】
【００６４】
１  冷蔵庫、２  断熱箱体、３  冷蔵室（貯蔵室）、４  製氷室（貯蔵室）、５  切換室（貯蔵室）、６  冷凍室（貯蔵室）、７  野菜室（貯蔵室）、８Ａ  断熱扉（回転式の断熱扉）、８Ｂ  断熱扉（回転式の断熱扉）、９Ａ  断熱扉（引出式の断熱扉）、９Ｂ  断熱扉（引出式の断熱扉）、１０  ガラス板（回転式扉前面部、引出式扉前面部）、１１  上面キャップ、１１Ａ  取手、１２  下面キャップ、１３  側面キャップ（回転式扉側面部、引出式扉側面部）、１３Ａ  板状部、１３Ｂ  側面キャップ（回転式扉側面部、引出式扉側面部）、１３Ｂ１  第１縁部、１３Ｂ２  第２縁部、１３ａ  側面キャップ（回転式扉側面部、引出式扉側面部）、１３ｂ  側面キャップ（回転式扉側面部、引出式扉側面部）、１４  内板（回転式扉背面部、引出式扉背面部）、１５  発泡断熱材、１６  上側固定部、１７  下側固定部、１８  剥離抑制部、１８Ａ  剥離抑制部、１８Ｂ  剥離抑制部、１８Ｃ  剥離抑制部、１８Ｄ  剥離抑制部、１９  側方フレーム、２０  後方フレーム、２１  ローラー、２２  マグネットガスケット、２９Ａ  断熱扉（引出式の断熱扉）、２９Ｂ  断熱扉（引出式の断熱扉）、１８１  第１突出部、１８２  接続部、１８２Ａ  接続部、１８２Ｂ  接続部、１８３  第２突出部、１８３Ｃ  第２突出部、１８４Ｄ  円弧状部、Ｐ  スライドコア、Ｑ１  下部、Ｑ２  下部、Ｑ３  上部、Ｓ  隙間、Ｔ１  領域、Ｔ２  領域。
【図１】
0006257466.tif 000002
【図２Ａ】
0006257466.tif 000003
【図２Ｂ】
0006257466.tif 000004
【図３】
0006257466.tif 000005
【図４】
0006257466.tif 000006
【図５】
0006257466.tif 000007
【図６】
0006257466.tif 000008
【図７Ａ】
0006257466.tif 000009
【図７Ｂ】
0006257466.tif 000010
【図８Ａ】
0006257466.tif 000011
【図８Ｂ】
0006257466.tif 000012
【図８Ｃ】
0006257466.tif 000013
【図８Ｄ】
0006257466.tif 000014
【図９】
0006257466.tif 000015
【図１０】
0006257466.tif 000016
【図１１Ａ】
0006257466.tif 000017
【図１１Ｂ】
0006257466.tif 000018
【図１２Ａ】
0006257466.tif 000019
【図１２Ｂ】
0006257466.tif 000020